(57)【要約】【課題】昇降式座椅子の座面を簡素な構成によって昇降可能とする。【解決手段】使用者が着座する座面１２が昇降可能な昇降式座椅子１００であって、座面１２が設けられる椅子部１０と、椅子部１０を昇降可能に支持するベース部２０と、ベース部２０と椅子部１０とに両端が各々取り付けられ、ベース部２０に対して椅子部１０を昇降させる電動シリンダ３０と、ベース部２０に設けられ、椅子部１０を電動シリンダ３０の伸縮方向に沿って案内するガイドレール２２と、を備える。【選択図】図２
2015020009.tif 000002
【特許請求の範囲】
【請求項１】
使用者が着座する座面が昇降可能な昇降式座椅子であって、
前記座面が設けられる椅子部と、
前記椅子部を昇降可能に支持するベース部と、
前記ベース部と前記椅子部とに両端が各々取り付けられ、前記ベース部に対して前記椅子部を昇降させる直動アクチュエータと、
前記ベース部に設けられ、前記椅子部を前記直動アクチュエータの伸縮方向に沿って案内するガイド部と、を備えることを特徴とする昇降式座椅子。
【請求項２】
前記直動アクチュエータは、前記椅子部の背面に設けられ、
前記ガイド部は、前記直動アクチュエータの側方に設けられ、
前記椅子部は、前記背面から突出して前記ガイド部に案内される突出部を有することを特徴とする請求項１に記載の昇降式座椅子。
【請求項３】
前記突出部は、昇降方向に設けられるローラを有し、
前記ガイド部は、ガイドレールであり、
前記ガイドレールには、前記ローラが当接して、使用者が前記椅子部に着座した際のモーメントが前記ローラから作用することを特徴とする請求項２に記載の昇降式座椅子。
【請求項４】
前記ベース部は、前記椅子部を後方に向けて傾斜させた際に接地する車輪を有することを特徴とする請求項１から３のいずれか一つに記載の昇降式座椅子。
【発明の詳細な説明】
【技術分野】
【０００１】
本発明は、座面が昇降可能な昇降式座椅子に関するものである。
【背景技術】
【０００２】
従来から、電動モータや油圧シリンダ等のアクチュエータを用いて座面の高さを調整可能な昇降式座椅子が用いられている。
【０００３】
特許文献１には、駆動モータによって回転駆動されるギヤシャフトと、ギヤシャフトの回転によって水平に移動する駆動板と、Ｘ字状に交差して設けられ駆動板の移動によって角度が変化して座面を昇降させる昇降アームとを備える昇降機能付き座椅子が開示されている。
【先行技術文献】
【特許文献】
【０００４】
【特許文献１】特開平０７−３０８３４４号公報
【発明の概要】
【発明が解決しようとする課題】
【０００５】
しかしながら、特許文献１に記載の座椅子では、座面を昇降させるために駆動板や昇降アーム等によって構成される複雑なリンク機構が必要であった。
【０００６】
本発明は、上記の問題点に鑑みてなされたものであり、昇降式座椅子の座面を簡素な構成によって昇降可能とすることを目的とする。
【課題を解決するための手段】
【０００７】
本発明は、使用者が着座する座面が昇降可能な昇降式座椅子であって、前記座面が設けられる椅子部と、前記椅子部を昇降可能に支持するベース部と、前記ベース部と前記椅子部とに両端が各々取り付けられ、前記ベース部に対して前記椅子部を昇降させる直動アクチュエータと、前記ベース部に設けられ、前記椅子部を前記直動アクチュエータの伸縮方向に沿って案内するガイド部と、を備えることを特徴とする。
【発明の効果】
【０００８】
本発明によれば、ベース部に対して椅子部を昇降させる直動アクチュエータと、椅子部を直動アクチュエータの伸縮方向に沿って案内するガイド部とを備えることによって座面が昇降可能となる。したがって、複雑なリンク機構を必要とせず、昇降式座椅子の座面を簡素な構成によって昇降可能とすることができる。
【図面の簡単な説明】
【０００９】
【図１】本発明の実施の形態に係る昇降式座椅子の斜視図である。
【図２】図１に示す昇降式座椅子の側面図である。
【図３】図１に示す昇降式座椅子の背面図である。
【図４】図１に示す昇降式座椅子の平面図である。
【図５】本発明の実施の形態に係る昇降式座椅子の座面を上昇させた状態の斜視図である。
【図６】図５に示す昇降式座椅子の側面図である。
【発明を実施するための形態】
【００１０】
以下、図面を参照して、本発明の実施の形態に係る昇降式座椅子１００について説明する。
【００１１】
まず、図１から図４を参照して、昇降式座椅子１００の構成について説明する。
【００１２】
昇降式座椅子１００は、使用者が着座する座面１２が昇降可能に設けられるものである。昇降式座椅子１００は、座面１２が設けられる椅子部１０と、椅子部１０を昇降可能に支持するベース部２０と、ベース部２０に対して椅子部１０を昇降させる直動アクチュエータとしての電動シリンダ３０と、ベース部２０に設けられ、椅子部１０を電動シリンダ３０の伸縮方向に沿って案内するガイド部としての一対のガイドレール２２とを備える。図１から図４に示すのは、椅子部１０が下降限に位置している状態である。
【００１３】
椅子部１０は、座面１２を有する着座部１１と背面１４を有する背もたれ部１３とを有するＬ字状に形成される。椅子部１０は、着座部１１と背もたれ部１３との左右の側面を各々補強する一対の側面板１５を有する。
【００１４】
着座部１１は、略水平に設けられる。着座部１１には、使用者が直接着座することが可能である。これに限らず、着座部１１に他の座椅子を載置して、その上に使用者が着座するようにしてもよい。
【００１５】
背もたれ部１３は、着座部１１の後端部に略垂直に連結される。背もたれ部１３は、図３に示すように、背面１４から突出して一対のガイドレール２２に各々案内される突出部としての一対のガイドブラケット１６を有する。また、背もたれ部１３は、背面１４に突出して電動シリンダ３０のロッド３２側の上端部３０ａに連結される連結部１８を有する。
【００１６】
ガイドブラケット１６は、背もたれ部１３の背面１４の左右端近傍に各々取り付けられる。ガイドブラケット１６は、椅子部１０の昇降方向に延設される。ガイドブラケット１６は、椅子部１０の昇降方向に離間して設けられる一対のローラ１７を有する。
【００１７】
ローラ１７は、図２に示すように、椅子部１０に使用者が着座した際のモーメントによってガイドレール２２の前面２２ａに押し当てられる上部ローラ１７ａと、ガイドレール２２の後面２２ｂに押し当てられる下部ローラ１７ｂとを有する。上部ローラ１７ａは、ガイドブラケット１６の上端部に自転可能に取り付けられる。下部ローラ１７ｂは、ガイドブラケット１６の下端部に自転可能に取り付けられる。
【００１８】
連結部１８は、背もたれ部１３の背面１４の略中央の上端部近傍に取り付けられる。連結部１８が電動シリンダ３０によって押し上げられることで、椅子部１０は上昇する。また、使用者が椅子部１０に着座した際の荷重は、連結部１８を介して電動シリンダ３０に伝達される。
【００１９】
ベース部２０は、椅子部１０の着座部１１の下に設けられる接地部２１と、接地部２１に対して略垂直に立設される一対のガイドレール２２とを有し、接地部２１とガイドレール２２とでＬ字状に形成される。ベース部２０は、接地部２１とガイドレール２２との左右の側面を各々補強する一対の側面板２４を有する。
【００２０】
接地部２１は、本実施の形態では、後端部に一対の自由端が位置するＵ字状に形成される。昇降式座椅子１００では、電動シリンダ３０やガイドレール２２等の椅子部１０を昇降させるための構成が、椅子部１０の背面１４に設けられる。よって、昇降式座椅子１００では、椅子部１０の下には接地部２１しか設けられないため、従来の椅子部の下にリンク機構等が設けられる場合と比較して、低い位置まで椅子部１０を下降させることが可能である。
【００２１】
また、接地部２１を、左右に分割された一対の部材で構成することも可能である。つまり、Ｕ字状の接地部２１の幅方向に延設される部分をなくすことも可能である。この場合、椅子部１０の下に当該椅子部１０と干渉するものがないため、椅子部１０を下降限まで下降させたときに、椅子部１０の着座部１１を接地させることが可能である。
【００２２】
ガイドレール２２は、内周に前面２２ａと後面２２ｂとを有し、水平断面がＵ字状に形成される。ガイドレール２２は、電動シリンダ３０の左右の側方に各々設けられる。一対のガイドレール２２は、Ｕ字状の一対の自由端が位置する開口部が互いに対向するように設けられる。ガイドレール２２の開口部は、前面２２ａと後面２２ｂとの間が、ローラ１７の外径と略同一となるように形成される。
【００２３】
ガイドレール２２は、ローラ１７が当接して、使用者が椅子部１０に着座した際のモーメントがローラ１７から作用するものである。一対のガイドレール２２に代えて、単一のガイドレール２２を設けてもよい。その場合には、部品点数が削減できるため、昇降式座椅子１００を軽量化できるとともに、コストダウンが可能である。
【００２４】
また、水平断面がＵ字状に形成されるガイドレール２２に代えて、水平断面が矩形に形成されて前面と後面との一対の平面を有する棒状のガイドレールを設けてもよい。この場合、一対のローラ１７がガイドレールの前後面に互い違いに当接するように設けられる。具体的には、上部ローラ１７ａがガイドレールの後面に押し当てられ、下部ローラ１７ｂがガイドレールの前面に押し当てられるように設けられる。
【００２５】
ベース部２０は、各々のガイドレール２２の上端部どうしを連結するハンドル２３と、椅子部１０を後方に向けて傾斜させた際に接地する一対の車輪２５とを有する。本実施の形態では、車輪２５は一対であるが、一つであってもよい。
【００２６】
ハンドル２３は、ガイドレール２２の上端部の背面に取り付けられる。ハンドル２３は、昇降式座椅子１００を移動させる際に用いられる。使用者は、ハンドル２３を把持して昇降式座椅子１００を後方に向けて傾斜させることが可能である。
【００２７】
車輪２５は、ベース部２０の背面の下端部近傍に取り付けられる。車輪２５は、椅子部１０の昇降方向と同方向にのみ回転可能な固定輪である。
【００２８】
車輪２５は、昇降式座椅子１００が使用状態にあり、ベース部２０の接地部２１が接地している場合には、地面から浮いていて接地していない。車輪２５は、使用者がハンドル２３を把持して昇降式座椅子１００を後方に向けて傾斜させると接地する。これにより、車輪２５のみを接地させて、ベース部２０を地面から浮かせることができる。よって、使用者は、昇降式座椅子１００を容易に移動させることが可能である。
【００２９】
ベース部２０は、Ｕ字状の接地部２１の開口端どうしを連結するプレート２７と、プレート２７から上方に突出して電動シリンダ３０のシリンダ３１側の下端部３０ｂに連結される連結部２８とを有する。
【００３０】
連結部２８は、プレート２７の略中央に取り付けられる。椅子部１０を上昇させる際には、電動シリンダ３０が伸長して、連結部２８に対して椅子部１０の連結部１８を押し上げる。また、使用者が椅子部１０に着座した際に、椅子部１０から連結部１８を介して電動シリンダ３０に伝達される荷重は、連結部２８からプレート２７と接地部２１とを介して地面に伝達される。
【００３１】
電動シリンダ３０は、図３に示すように、下端部３０ｂがベース部２０に取り付けられるシリンダ３１と、上端部３０ａが椅子部１０の背面１４に取り付けられシリンダ３１に対して進退するロッド３２と、使用者による操作に応じて駆動力を発生する電動モータ３３と、電動モータ３３の駆動力をロッド３２を昇降方向に駆動する力に変換する減速機３４とを有する。
【００３２】
電動シリンダ３０は、ベース部２０と椅子部１０とに両端が各々取り付けられる。電動シリンダ３０は、椅子部１０の背面１４に設けられる。電動シリンダ３０は、左右のガイドレール２２の間の略中央に設けられる。電動シリンダ３０は、ガイドレール２２と平行に設けられる。
【００３３】
このように、昇降式座椅子１００では、電動シリンダ３０とガイドレール２２とが設けられることによって、使用者が着座する座面１２が昇降可能となる。したがって、複雑なリンク機構を必要とせず、昇降式座椅子１００の座面１２を簡素な構成によって昇降可能とすることができる。
【００３４】
電動シリンダ３０には、使用者が椅子部１０に着座した際の荷重が、連結部１８を介して伝達される。電動シリンダ３０には、ロッド３２を任意の位置で固定するためのブレーキ機構（図示省略）が内蔵される。これにより、椅子部１０を任意の高さで固定することができる。よって、椅子部１０を任意の高さで固定するために、電動モータ３３が常に駆動力を発揮する必要はない。電動シリンダ３０にブレーキ機構を内蔵するのに代えて、電動シリンダ３０とは別に、椅子部１０を任意の高さで固定するロック機構（図示省略）を設けてもよい。
【００３５】
次に、主に図１，２，５，及び６を参照して、昇降式座椅子１００の作用について説明する。
【００３６】
昇降式座椅子１００では、電動シリンダ３０の駆動力によって椅子部１０を昇降させ、ブレーキ機構によって椅子部１０を任意の高さで固定することが可能である。
【００３７】
図１及び図２に示される状態では、電動シリンダ３０のロッド３２がシリンダ３１に進入しており、椅子部１０が下降限まで下降している。この状態から、使用者がコントローラ（図示省略）によって椅子部１０を上昇させる操作を行うと、電動モータ３３の駆動力によってシリンダ３１からロッド３２が退出する。これにより、電動シリンダ３０が伸長して、図５及び図６に示されるように椅子部１０が上昇限まで上昇した状態になる。
【００３８】
このように、椅子部１０が上昇するため、使用者は、椅子部１０が下降限にある状態から立ち上がる場合と比較して、容易に立ち上がることができる。よって、使用者の立ち上がり動作を支援することができるため、使用者の足腰への負担を緩和することが可能である。
【００３９】
このとき、使用者が椅子部１０に着座した際の荷重は、連結部１８を介して電動シリンダ３０に伝達される。これに対して、電動シリンダ３０には、ブレーキ機構が設けられる。よって、使用者が椅子部１０に着座した際の荷重で椅子部１０が下降することはない。
【００４０】
また、椅子部１０は、背もたれ部１３の背面１４のみが支持されている。そのため、使用者が椅子部１０に着座した際には、椅子部１０が前方に傾斜する方向（図６では反時計回り方向）のモーメントが作用する。昇降式座椅子１００では、ガイドブラケット１６を介して椅子部１０に取り付けられる上部ローラ１７ａがガイドレール２２の前面２２ａに押し当てられ、下部ローラ１７ｂがガイドレール２２の後面２２ｂに押し当てられる。よって、ガイドレール２２が一対のローラ１７を介して椅子部１０を支持するため、使用者が椅子部１０に着座した際のモーメントによって椅子部１０が前方に傾斜することはない。
【００４１】
以上の実施の形態によれば、以下に示す効果を奏する。
【００４２】
昇降式座椅子１００は、ベース部２０に対して椅子部１０を昇降させる電動シリンダ３０と、椅子部１０を電動シリンダ３０の伸縮方向に沿って案内するガイドレール２２とを備える。これらの電動シリンダ３０とガイドレール２２とが設けられることによって、使用者が着座する座面１２が昇降可能となる。したがって、複雑なリンク機構を必要とせず、昇降式座椅子１００の座面１２を簡素な構成によって昇降可能とすることができる。
【００４３】
また、昇降式座椅子１００では、椅子部１０を昇降させるための電動シリンダ３０やガイドレール２２等の構成が、椅子部１０の背面１４に設けられる。よって、接地部２１は、椅子部１０の下にリンク機構等が設けられる場合と比較して低い位置まで下降させることが可能である。
【００４４】
本発明は上記の実施の形態に限定されずに、その技術的な思想の範囲内において種々の変更がなしうることは明白である。
【符号の説明】
【００４５】
１００    昇降式座椅子
１０      椅子部
１１      着座部
１２      座面
１３      背もたれ部
１４      背面
１６      ガイドブラケット（突出部）
１７      ローラ
２０      ベース部
２２      ガイドレール（ガイド部）
２５      車輪
３０      電動シリンダ（直動アクチュエータ）
３０ａ    上端部
３０ｂ    下端部
【図１】
2015020009.tif 000003
【図２】
2015020009.tif 000004
【図３】
2015020009.tif 000005
【図４】
2015020009.tif 000006
【図５】
2015020009.tif 000007
【図６】
2015020009.tif 000008